(57)【要約】【課題】コンパクト化及び浅層埋設化が可能な仮設トイレ用配管構造を提供する。【解決手段】地中において横方向に埋設された排水横管と、前記排水横管に、その長手方向に沿って互いに間隔をあけて接続され上下方向に延伸する複数の縦管と、前記排水横管内に内装された流出管と、前記流出管の上流側端部に設けられた弁開閉機構とを備える。【選択図】図１
2019078050.tif 000002
【特許請求の範囲】
【請求項１】
地中において横方向に埋設された排水横管と、
前記排水横管に、その長手方向に沿って互いに間隔をあけて接続され上下方向に延伸する複数の縦管と、
前記排水横管内に内装された流出管と、
前記流出管の上流側端部に設けられた弁開閉機構と、
を備えることを特徴とする仮設トイレ用配管構造。
【請求項２】
前記排水横管の下流側端部と、前記排水横管内に内装された前記流出管の上流側端部と、前記流出管の上流側端部に設けられた前記弁開閉機構とを収容するマンホールを備えることを特徴とする請求項１記載の仮設トイレ用配管構造。
【請求項３】
前記流出管の上流側端部は、下部に対して上部が下流側に位置する斜め形状を有することを特徴とする請求項１または２記載の仮設トイレ用配管構造。
【請求項４】
前記流出管の上流側は、下部側の内周面に止水構造を備えることを特徴とする請求項１〜３の何れか一項に記載の仮設トイレ用配管構造。
【請求項５】
前記流出管の上流側端部の周囲に邪魔板を備えることを特徴とする請求項１〜４の何れか一項に記載の仮設トイレ用配管構造。
【請求項６】
地中において横方向に埋設された排水横管の下流側端部が接続される排水横管接続部と、
下水管に接続される流出管が接続され、前記排水横管接続部に内装された流出管接続部と、
前記流出管接続部の上流側端部に設けられた弁開閉機構と、
を備えることを特徴とする仮設トイレ用配管部材。
【請求項７】
前記流出管接続部の上流側端部は、下部に対して上部が下流側に位置する斜め形状を有することを特徴とする請求項６記載の仮設トイレ用配管部材。
【請求項８】
前記流出管接続部の上流側は、下部側の内周面に止水構造を備えることを特徴とする請求項７記載の仮設トイレ用配管部材。
【請求項９】
前記流出管接続部の上流側端部の周囲に邪魔板を備えることを特徴とする請求項６〜８の何れか一項に記載の仮設トイレ用配管部材。
【発明の詳細な説明】
【技術分野】
【０００１】
本発明は、災害発生時に使用される仮設トイレ用配管構造及び配管部材に関するものである。
【背景技術】
【０００２】
近年、地震などの災害が発生した場合に、学校や防災公園などの避難場所において複数の仮設トイレを設置できるようにした仮設トイレ用配管構造が提案されている（例えば特許文献１参照。）。この仮設トイレ用配管構造においては、地中に埋設され横方向に延伸する排水横管と、この排水横管に互いに間隔をあけて接続され上端部が地表面に開口し、その上に仮設トイレを設置可能な複数の縦管とを有している。また排水横管の一端部が接続されたマンホールと、マンホールと既設の下水管とを連結し、マンホール内の汚物や流体を下水管に流出させる流出管とを有している。更にマンホール内に突出した排水横管の一端部の開口を開閉する貯水ゲート（弁装置）が設けられている。
【先行技術文献】
【特許文献】
【０００３】
【特許文献１】特許第４１０４１９７号公報
【発明の概要】
【発明が解決しようとする課題】
【０００４】
ところで上述の仮設トイレ用配管構造においては、排水横管に接続したマンホールを介して流出管が接続されており構造上大型化してしまいコンパクト化が困難であった。また防災公園等への設置においては、設置場所から下水管までの距離が長くなることがあるため、現状の埋設深さでは管路勾配をとることが困難になることから、浅層埋設化が必要になる。
【０００５】
本発明の目的は、コンパクト化及び浅層埋設化が可能な仮設トイレ用配管構造及び仮設トイレ用配管部材を提供することである。
【課題を解決するための手段】
【０００６】
本発明の仮設トイレ用配管構造は、地中において横方向に埋設された排水横管と、前記排水横管に、その長手方向に沿って互いに間隔をあけて接続され上下方向に延伸する複数の縦管と、前記排水横管内に内装された流出管と、前記流出管の上流側端部に設けられた弁開閉機構とを備えることを特徴とする。
【０００７】
また本発明の仮設トイレ用配管構造は、前記排水横管の下流側端部と、前記排水横管内に内装された前記流出管の上流側端部と、前記流出管の上流側端部に設けられた前記弁開閉機構とを収容するマンホールを備えることを特徴とする。
【０００８】
また本発明の仮設トイレ用配管構造は、前記流出管の上流側端部が下部に対して上部が下流側に位置する斜め形状を有することを特徴とする。
【０００９】
また本発明の仮設トイレ用配管構造は、前記流出管の上流側が下部側の内周面に止水構造を備えることを特徴とする。
【００１０】
また本発明の仮設トイレ用配管構造は、前記流出管の上流側端部の周囲に邪魔板を備えることを特徴とする。
【００１１】
本発明の仮設トイレ用配管部材は、地中において横方向に埋設された排水横管の下流側端部が接続される排水横管接続部と、下水管に接続される流出管が接続され、前記排水横管接続部に内装された流出管接続部と、前記流出管接続部の上流側端部に設けられた弁開閉機構と、を備えることを特徴とする。
【００１２】
また本発明の仮設トイレ用配管部材は、前記流出管接続部の上流側端部が下部に対して上部が下流側に位置する斜め形状を有することを特徴とする。
【００１３】
また本発明の仮設トイレ用配管部材は、前記流出管接続部の上流側が下部側の内周面に止水構造を備えることを特徴とする。
【００１４】
また本発明の仮設トイレ用配管部材は、前記流出管接続部の上流側端部の周囲に邪魔板を備えることを特徴とする。
【発明の効果】
【００１５】
本発明によれば、コンパクト化及び浅層埋設化が可能な仮設トイレ用配管構造及び仮設トイレ用配管部材を提供することができる。
【図面の簡単な説明】
【００１６】
【図１】第１の実施の形態に係る仮設トイレ用配管構造の縦断面図である。
【図２】第１の実施の形態に係る仮設トイレ用配管構造の立ち上がり管及び縦管を示す図である。
【図３】第２の実施の形態に係る仮設トイレ用配管構造の縦断面図である。
【図４】第３の実施の形態に係る仮設トイレ用配管構造の縦断面図である。
【図５】第４の実施の形態に係る仮設トイレ用配管構造の縦断面図である。
【図６】第４の実施の形態に係る仮設トイレ用配管構造の流出管が有する止水構造を示す図である。
【図７】第５の実施の形態に係る仮設トイレ用配管構造に設けられた邪魔板を示す図である。
【図８】第６の実施の形態に係る仮設トイレ用配管構造に設けられた邪魔板を示す図である。
【図９】第７の実施の形態に係る仮設トイレ用配管部材を備える仮設トイレ用配管構造の縦断面図である。
【図１０】第７の実施の形態に係る仮設トイレ用配管部材の縦断面図である。
【発明を実施するための形態】
【００１７】
以下、図面を参照して実施の形態に係る仮設トイレ用配管構造について説明する。図１は、第１の実施の形態に係る仮設トイレ用配管構造の縦断面図である。図１に示すように、仮設トイレ用配管構造２は、横方向に沿って、即ち地表面３に沿って地中に埋設された排水横管４と、排水横管４にその長手方向に沿って互いに間隔をあけて接続され上下方向に延伸する複数の縦管５と、排水横管４の下流側端部に接続され上下方向に延伸する立ち上がり管６と、排水横管４内に内装された流出管７と、流出管７の上流側端部に設けられた弁開閉機構８とを備えている。
【００１８】
排水管横４は、合成樹脂管によって形成されており上流側端部が管端接着止水キャップ４ａにより閉塞されている。排水横管４の上部には、排水横管４の長手方向に沿って互いに間隔をあけて６本の上下方向に延伸する縦管５が接続されている。
【００１９】
図２は排水管横４の最も下流側に位置する縦管５（他の縦管５も同一の構成を有する。）及び立ち上がり管６を示している。この図に示すように縦管５は、自在受け口サドル１０を介して排水管横４に接続されており、縦管５の内部は排水横管４の内部と連通し、縦管５の上部には、縦管５の上部開口を開閉する合成樹脂製の内蓋５ａを備えている。また縦管５の上方には、地表面３に位置する鋳鉄製の防護蓋１１が設けられている。災害発生時には、各縦管５の内蓋５ａ及び外蓋１１を外し仮設トイレを設置する。
【００２０】
排水横管４の下流側端部は、管端接着止水キャップ４ｂにより閉塞されている。排水横管４の下流側端部の近傍設けられている立ち上がり管６の上端部は、地表面３に位置しており蓋６ａで閉塞されている。立上がり管６の下部の排水横管４内には、管端接着止水ャップ４ｂを介して排水横管４に内装された流出管７の上流側端部が位置している。流出管７の下流側端部は、下水本管（図示せず）に接続されている。
【００２１】
流出管７の上流側端部には弁開閉機構８が設けられている。ここで弁開閉機構８は、流出管７の上流側端部を閉塞するゲート式の弁８ａ及びゲート式の弁８ａを上下方向にスライドさせる弁開閉ハンドル８ｂを備えている。弁開閉ハンドル８ｂは立ち上がり管６内に配置されているため、立ち上がり管６の上端部の蓋６ａを外して、弁開閉ハンドル８ｂを操作することにより弁８ａの開閉を行うことができる。また流出管７の弁開閉機構８の近傍には、オーバーフロー管９が接続されているため、排水横管４内の水位を一定に保つことができる。
【００２２】
本実施の形態に係る仮設トイレ用配管構造２によれば、排水横管４の下流端より流出管７を排水横管４内に突出させて内装しているため、排水横管４の排水勾配を確保しつつコンパクトな仮設トイレ用配管構造にすることができる。これにより排水横管４の埋設深さを浅くすることができる。また、流出管７の上流端に弁開閉機構８を設けているため、弁８ａの止水面に汚水に含まれる夾雑物を噛みこむことを防止することができ、流出管４の上流端を完全に止水することができる。また弁８ａは、水圧を受ける反対側で止水する構造であるため、より高い止水性を得ることができる。
【００２３】
次に図３を参照して第２の実施の形態に係る仮設トイレ用配管構造について説明する。図３は、第２の実施の形態に係る仮設トイレ用配管構造の縦断面図である。なお第２の実施の形態に係る仮設トイレ用配管構造の説明においては、第１の実施の形態に係る仮設トイレ用配管構造２の構成と同一の構成に、第１の実施の形態で用いたのと同一の符号を付して説明を行う。
【００２４】
第２の実施の形態に係る仮設トイレ用配管構造２０は、第１の実施の形態に係る仮設トイレ用配管構造２の排水横管４の下流側端部と、排水横管４内に内装された流出管７の上流側端部と、流出管７の上流側端部に設けられた弁開閉機構８と、流出管７の上流側端部の近傍に接続されたオーバーフロー管９を収容するマンホール２２を備えるものである。マンホール２２の上部は蓋２２ａにより閉塞されており、蓋２２ａを外して弁開閉機構８の弁開閉ハンドル８ｂを操作することができる。
【００２５】
本実施の形態に係る仮設トイレ用配管構造２０によれば、マンホール２２内において排水横管４の下流端より流出管７を排水横管４内に突出させて内装しているため、排水横管４の排水勾配を確保しつつ設置後の維持管理性を向上させることができる。
【００２６】
次に図４を参照して第３の実施の形態に係る仮設トイレ用配管構造について説明する。図４は、第３の実施の形態に係る仮設トイレ用配管構造の縦断面図である。なお第３の実施の形態に係る仮設トイレ用配管構造の説明においては、第１の実施の形態に係る仮設トイレ用配管構造２の構成と同一の構成に、第１の実施の形態で用いたのと同一の符号を付して説明を行う。
【００２７】
第３の実施の形態に係る仮設トイレ用配管構造２４は、第１の実施の形態に係る仮設トイレ用配管構造２の弁開閉機構８を構成する弁８ａを、上流側端部の下部に対して上部が下流側に位置する斜め形状を有する流出管７の上流側端部に設置する弁８ｃに変更し、流出管７に接続されているオーバーフロー管９をＬ字形状のオーバーフロー管１２に変更したものである。
【００２８】
本実施の形態に係る仮設トイレ用配管構造２４によれば、排水横管４内に弁開閉機構８を設けた場合においても、排水横管４内に位置する流出管４の上流側端面の下部に夾雑物等が堆積することを抑制でき弁の止水性を確保することができる。
【００２９】
次に図５及び図６を参照して第４の実施の形態に係る仮設トイレ用配管構造について説明する。図５は第４の実施の形態に係る仮設トイレ用配管構造の縦断面図である。なお第４の実施の形態に係る仮設トイレ用配管構造の説明においては、第１の実施の形態に係る仮設トイレ用配管構造２の構成と同一の構成に、第１の実施の形態で用いたのと同一の符号を付して説明を行う。
【００３０】
第４の実施の形態に係る仮設トイレ用配管構造２６は、第１の実施の形態に係る仮設トイレ用配管構造２の弁開閉機構８を構成する弁８ａにより止水される流出管７の上流側端部７ａの構造を夾雑物の体積を抑制できるような構造に変更したものである。即ち図６に示すように流出管７の上流側端部７ａの略上半分は、流出管７の上流側端面にパッキン等の止水構造７ｂを備え、流出管７の上流側端部７ａの略下半分は、流出管７の内周面にパッキン等の止水構造７ｃを備えている。
【００３１】
本実施の形態に係る仮設トイレ用配管構造２６によれば、流出管７の底部の止水部が平滑な管内面になり、夾雑物の堆積を抑制でき止水性を確保できる。
【００３２】
次に図７を参照して第５の実施の形態に係る仮設トイレ用配管構造について説明する。図７は、第５の実施の形態に係る仮設トイレ用配管構造の縦断面図である。なお第５の実施の形態に係る仮設トイレ用配管構造の説明においては、第３の実施の形態に係る仮設トイレ用配管構造２４の構成と同一の構成には、第３の実施の形態で用いたのと同一の符号を付して説明を行う。
【００３３】
第５の実施の形態に係る仮設トイレ用配管構造は、排水横管４に内装された流出管７の上流側端部に斜めに配置されている弁８ｃの周囲にオーバーフロー管９の上端部の高さまで邪魔板（または部材）３０を配置したものである。このような構成とすることにより排水横管４内に突出している流出管７の上流側端部の周囲に夾雑物が堆積することを防止することができる。
【００３４】
次に図８を参照して第６の実施の形態に係る仮設トイレ用配管構造について説明する。図８は、第６の実施の形態に係る仮設トイレ用配管構造の縦断面図である。なお第６の実施の形態に係る仮設トイレ用配管構造の説明においては、第３の実施の形態に係る仮設トイレ用配管構造２４の構成と同一の構成には、第３の実施の形態で用いたのと同一の符号を付して説明を行う。
【００３５】
第６の実施の形態に係る仮設トイレ用配管構造は、排水横管４に内装された流出管７の上流側端部に斜めに配置されている弁８ｃの周囲に流出管７の中間の高さまで邪魔板（または部材）３２を配置したものである。このような構成とすることにより排水横管４内に突出している流出管７の上流側端部の周囲に夾雑物が堆積することを防止することができる。
【００３６】
次に図９及び図１０を参照して第７の実施の形態に係る仮設トイレ用配管部材について説明する。図９は第７の実施の形態に係る仮設トイレ用配管部材を備える仮設トイレ用配管構造の縦断面図であり、図１０は実施の形態に係る仮設トイレ用配管部材の縦断面図である。なお第７の実施の形態に係る仮設トイレ用配管部材の説明においては、第１の実施の形態に係る仮設トイレ用配管構造２の構成と同一の構成には、第１の実施の形態で用いたのと同一の符号を付して説明を行う。
【００３７】
図９及び図１０に示す仮設トイレ用配管部材２８は、排水横管４の下流側端部が内装されて接続される排水横管接続部２８ａと、下水管に接続される流出管７が外装されて接続され、排水横管接続部２８ａに内装された流出管接続部２８ｂと、排水横管接続部２８ａの下流側端部に形成された立ち上がり管部２８ｃ、立ち上がり管部２８ｃの上部開口を閉塞する蓋２８ｄとを備えている。また仮設トイレ用配管部材２８は、流出管接続部２８ｂの上流側端部に設けられた弁開閉機構８と、流出管接続部２８ｂの上流側端部近傍に設けられたオーバーフロー管９を備えている。
【００３８】
本実施の形態に係る仮設トイレ用配管部材によれば、排水横管接続部２８ａ内に流出管接続部２８ｂを内装し弁開閉機構８を設けた部分を別部材とすることで、部材の保管、輸送、搬入が容易で且つ、現場での施工も簡便になる。
【００３９】
なお仮設トイレ用配管部材２８においても、仮設トイレ用配管部材２８の流出管接続部２８ｂの上流側端部に設置されている弁開閉機構８を構成する弁８ａを、第３の実施の形態と同様に上流側端部の下部に対して上部が下流側に位置する斜め形状を有する流出管接続部２８ｂの上流側端部に設置する弁８ｃに変更してもよい。
【００４０】
また仮設トイレ用配管部材２８の流出管接続部２８ｂの上流側端部の止水構造を第４の実施の形態と同様に、流出管接続部２８ｂの上流側端部７ａの略上半分は、上流側端面にパッキン等の止水構造７ｂを備え、流出管接続部２８ｂの上流側端部７ａの略下半分は、流出管接続部２８ｂの内周面にパッキン等の止水構造７ｃを備えるようにしてもよい。
【００４１】
更に第５及び第６の実施の形態と同様に、排水横管接続部２８ａに内装された流出管接続部２８ｂの上流側端部に斜めに配置される弁８ｃの周囲にオーバーフロー管９の上端部の高さまで、または流出管接続部２８ｂの中間の高さまで邪魔板（または部材）を配置するようにしてもよい。
【００４２】
なお上述の実施の形態に係る仮設トイレ用配管構造においては、ゲート式の弁を有する弁開閉機構を備えているが、弁の方式はゲート式の弁に限定されるものではなく、ボールバルブなどの方式の弁を用いてもよい。
【００４３】
また弁開閉ハンドル８ｂが位置している立上がり管６は、弁の交換などのメンテナンス性を考慮し、弁の外寸よりも大きな内径の立上がり管を用いることが望ましい。
【符号の説明】
【００４４】
２，２２，２４，２６…仮設トイレ用配管構造、３…地表面、４…排水横管、５…縦管、６…立ち上がり管、７…流出管、８…弁開閉機構、９…オーバーフロー管、１０…自在受け口サドル、１１…防護蓋、２２…マンホール、２８…仮設トイレ用配管部材、２８ａ…排水横管接続部、２８ｂ…流出管接続部
【図１】
2019078050.tif 000003
【図２】
2019078050.tif 000004
【図３】
2019078050.tif 000005
【図４】
2019078050.tif 000006
【図５】
2019078050.tif 000007
【図６】
2019078050.tif 000008
【図７】
2019078050.tif 000009
【図８】
2019078050.tif 000010
【図９】
2019078050.tif 000011
【図１０】
2019078050.tif 000012